(57)【要約】【課題】従来の有機質廃物の堆肥化処理施設よりも著しく敷地面積が少なくてすみ、小規模且つ安価に構築することができ、小規模な家畜農家に適した全周オープン式発酵処理施設を提供する。【解決手段】処理舎２内の床面Ａに直立設置したスタンド１に、撹拌機を具備した台車３の幅方向の１側を３６０°回転自在に連結し、該スタンド１を中心にして台車３をサークル走行自在とした台車サークル走行撹拌装置１１を構成し、該スタンド１を中心とし、台車３のサークル走行により描かれる円軌道８内を有機質廃物の堆肥物Ｍの堆肥化処理を行う円形処理床面ａとし、その外側を全周開放側面１３として成る。これにより、その円形処理床面Ａの外側の全周開放側面１３の所望の個所を利用し、被処理物の投入とその発酵処理済みの堆肥の取り出しを行うことができる。【選択図】　　　図１
2004026565.tif 000002
【特許請求の範囲】
【請求項１】
処理舎内の床面に直立設置したスタンドに、撹拌機を具備した台車の幅方向の１側を３６０°回転自在に連結し、該スタンドを中心にして台車のサークル走行自在とした台車サークル走行撹拌装置を構成し、該スタンドを中心とした台車のサークル走行により描かれる円軌道内を有機質廃物の堆肥処理を行う円形処理床面とし、その外側を全周開放側面としたことを特徴とする全周オープン式発酵処理施設。
【請求項２】
軸受筒と該軸受筒内にその中心軸線上に軸受を介し回転自在に設けた垂直軸とから成るスタンドを、処理舎の床面に直立設置すると共に、該垂直軸の上端部に、台車の基台囲枠の台車の走行方向に対し直交する幅方向において対向する両側のフレームのいずれか１方のフレームを連結する一方、その他方のフレーム側に設けた車輪を該垂直軸を中心とした円軌道上に沿い床面を転動走行するようにし、該台車を該垂直軸を中心にしてサークル走行するようにすると共に、その基台囲枠の下方に台車の走行方向に対し直交して設けた横型ロータリー式撹拌機の回転軸を該垂直軸を中心とする円の半径方向に配置せしめるようにして台車サークル走行撹拌装置を構成し、該垂直軸を中心として台車がサークル走行する円形の処理床面の面域から該台車の基台囲枠の下面までの高さまでを、有機質廃物の堆積用空間とすると共に、その外側を全周開放側面としたことを特徴とする請求項１に記載の全周オープン式発酵処理施設。
【請求項３】
該スタンドは、床面から所定の高さ直立する長手の軸受筒とし、その該軸受筒の外周に、該垂直軸と同心に回転自在の外筒を設けると共に該外筒の上端に、該垂直軸を中心として径方向に延びるように長矩形板をその中間部で該垂直軸と該外筒に結着し、台車の基台囲枠の前記の一方のフレームを該長矩形板の上面に載置し、且つ該フレームと該長矩形板とを互いに結着したことを特徴とする請求項１又は２に記載の全周オープン式発酵処理施設。
【請求項４】
該水平長矩形板の中間部から等しく左右に延びる水平板部の下面と該外筒の外側周面との間に左右の補強板を張り渡したことを特徴とする請求項３に記載の全周オープン式発酵処理施設。
【請求項５】
該スタンドは、その該軸受筒は、床面から所定の高さ直立する長手の保持筒の上端開口から装着されて該保持筒の上部に結着された比較的短い軸受筒とし、該垂直軸の下部を該軸受筒内に挿入すると共に、軸受を介し回転自在とすると共にその上部が該軸受筒より上方に突出するように設けて成るスタンドに構成し、該スタンドの該垂直軸の該突出部の上端部に、台車の基台囲枠の前記の一方のフレームを、その中間部に設けた筒状キャップを嵌合結着し、該筒状キャップを介して該垂直軸に連結したことを特徴とする請求項１又は２に記載の全周オープン式発酵処理施設。
【請求項６】
垂直軸と共に連結された前記一方のフレームの中間部に給電ケーブルを連結するスイベルベースを設置する台を設けたことを特徴とする請求項１乃至５のいずれか１つに記載の全周オープン式発酵処理施設。
【請求項７】
該台車の撹拌機の該回転軸は、一方向の回転のみ又は正，逆回転自在とし、その全周面に且つその長さ方向に所定間隔で配設したパドルのうち、少なくともその長さ方向の最外端に位置するパドルの掻き上げ部材は台車の正回転走行又は逆回転走行のいずれの場合においても、その台車の走行において堆積物を内側に掻き上げるように傾斜し、又は傾動自在としたことを特徴とする請求項１乃至６のいずれか１つに記載の全周オープン式発酵処理施設。
【請求項８】
処理舎の中央に該垂直軸を設けると共に、該被処理物を堆積せしめる円形の床面の外側の全周開放側面の所望の位置でショベルカーなどの搬送車による被処理物の投入と堆肥の取り出しを行えるようにし、処理舎の四周側面の少なくとも１側面に搬送車の出入口を設けたことを特徴とする請求項１乃至７のいずれか１つに記載の全周オープン式発酵処理施設。
【請求項９】
該円形床面と処理舎の四周側面との間に搬送車走行用の環状通路を設けたことを特徴とする請求項８に記載の全周オープン式発酵処理施設。
【発明の詳細な説明】
【０００１】
【発明の属する技術分野】
本発明は、オープン式発酵処理施設に関する。
【０００２】
【従来の技術】
従来、一般に用いられている糞尿を堆肥化する発酵処理施設として長棟の処理舎内の床面に、約３０〜１００メートルの長手の一対のコンクリート長尺壁を構築し、その長尺のピット式発酵槽の両側のコンクリート長尺壁の上面に一対のレールを敷設し、長尺壁間の長尺のピットを跨いで撹拌機を具備した走行台車を往復動走行自在に設けた発酵処理装置を設備して成るもので、この装置を用いて、牛、豚の生糞の堆肥化のための発酵処理法は、該生糞をピット式発酵槽の一端から順次投入し、走行台車の往復動走行を繰り返し、他端側へ撹拌機により投入堆積物を往復動移動させ乍ら撹拌発酵処理を行い、その他端から順次堆肥を取り出すようにした極めて煩わしい作業が必要であった。この課題を解決するため、先に、発明者は、特開２００１−４７０１３公報に開示したオープン式発酵処理装置とその発酵処理法を提案し、上記従来の技術に比し長尺の発酵処理槽を容易且つ安価に構築でき、更には、生糞の投入と発酵処理後の堆肥の取り出し作業を容易にした。
【０００３】
【発明が解決しようとする課題】
長棟の処理舎内に上記従来の一般的な発酵処理装置又は上記提案のオープン式発酵処理装置を設備した発酵処理施設は、長大な敷地を要し、また、その施設の構築には、長尺の処理舎の建築を要し、更には、発酵処理装置として両側又は１側に長尺壁の構築と該長尺壁の上面にレールを敷設する設備作業と設備コストがかゝる。従って、かゝる施設を設けるには、敷地の面積が足りなかったり、牛などの家畜頭数が１００頭以下と少ない酪農などの畜産農家にとり不適であり、また、その施設を設ける農家にとっては高額な投資が避けられず、経営負担も大きくなり苦慮している畜産農家も多い。
このような観点から、従来上記の発酵処理施設に代わり、牛、豚などの家畜の頭数が比較的少ない畜産農家に特に適し、比較的小さい敷地があれば足り、処理舎の床面積が小さくてすみ、且つピット発酵槽の構築を不要とし、発酵処理装置の構造を簡易化し、その設備の構築作業が著しく容易で且つ低コストで設備し得られ、安価に且つ容易に堆肥を製造できる全周オープン式発酵処理施設を提供することを目的とする。
【０００４】
【課題を解決するための手段】
本発明は、従来に比し小さい敷地面積で足りると共に、従来の発酵処理装置に比し、構造簡単で著しく容易に且つ安価に設備し得られ、小規模な家畜農家に適した全周オープン式発酵処理施設を提供するもので、処理舎内の床面に直立設置したスタンドに、撹拌機を具備した台車の幅方向の１側を３６０°回転自在に連結し、該スタンドを中心にして台車のサークル走行自在とした台車サークル走行撹拌装置を構成し、該スタンドを中心とした台車のサークル走行により描かれる円軌道内を有機質廃物の堆肥処理を行う円形処理床面とし、その外側を全周開放側面としたことを特徴とする。
更に本発明は、上記の基本発明の目的を更に達成する好ましい全周オープン式発酵処理施設を提供するもので、軸受筒と該軸受筒内にその中心軸線上に軸受を介し回転自在に設けた垂直軸とから成るスタンドを、処理舎の床面に直立設置すると共に、該垂直軸の上端部に、台車の基台囲枠の台車の走行方向に対し直交する幅方向において対向する両側のフレームのいずれか１方のフレームを連結する一方、その他方のフレーム側に設けた車輪を該垂直軸を中心とした円軌道上に沿い床面を転動走行するようにし、該台車を該垂直軸を中心にしてサークル走行するようにすると共に、その基台囲枠の下方に台車の走行方向に対し直交して設けた横型ロータリー式撹拌機の回転軸を該垂直軸を中心とする円の半径方向に配置せしめるようにして台車サークル走行撹拌装置を構成し、該垂直軸を中心として台車がサークル走行する円形の処理床面の面域から該台車の基台囲枠の下面までの高さまでを、有機質廃物の堆積用空間とすると共に、その外側を全周開放側面としたことを特徴とする。
更に本発明は、上記の全周オープン式発酵処理施設において、台車の一方のフレームの垂直軸への連結を強固にし且つ該垂直軸の揺動を防止し、台車のサークル走行を円滑且つ安定良好に行われるようにした台車の回転走行撹拌装置を具備した全周オープン式発酵処理施設を提供するもので、該スタンドは、床面から所定の高さ直立する長手の軸受筒とし、その該軸受筒の外周に、該垂直軸と同心に回転自在の外筒を設けると共に該外筒の上端に、該垂直軸を中心として径方向に延びるように長矩形板をその中間部で該垂直軸と該外筒に結着し、台車の基台囲枠の前記の一方のフレームを該長矩形板の上面に載置し、且つ該フレームと該長矩形板とを互いに結着したことを特徴とする。
更に本発明は、台車のサークル走行を更に安定良好に得られるようにした台車の回転走行撹拌装置を具備した全周オープン式発酵処理施設を提供するもので、該水平長矩形板の中間部から等しく左右に延びる水平板部の下面と該外筒の外側周面との間に左右の補強板を張り渡したことを特徴とする。
更に本発明は、更に構造簡単にし、安価に得られる台車の回転走行撹拌装置を具備した全周オープン式発酵処理施設を提供するもので、該スタンドは、その該軸受筒は、床面から所定の高さ直立する長手の保持筒の上端開口から装着されて該保持筒の上部に結着された比較的短い軸受筒とし、該垂直軸の下部を該軸受筒内に挿入すると共に、軸受を介し回転自在とすると共にその上部が該軸受筒より上方に突出するように設けて成るスタンドに構成し、該スタンドの該垂直軸の該突出部の上端部に、台車の基台囲枠の前記の一方のフレームを、その中間部に設けた筒状キャップを嵌合結着し、該筒状キャップを介して該垂直軸に連結したことを特徴とする。
更に本発明は、台車のサークル走行を給電ケーブルを安定良好に維持し乍ら行うことができる全周オープン式発酵処理施設を提供するもので、垂直軸と共に連結された前記一方のフレームの中間部に給電ケーブルを連結するスイベルベースを設置する台を設けたことを特徴とする。
更に本発明は、台車のサークル走行中における撹拌機により堆積物を撹拌するとき、特に円周上の外側堆積物が外方に散らないように円滑に撹拌作業を行えるようにした全周オープン式発酵処理施設を提供するもので、該台車の撹拌機の該回転軸は、一方向の回転のみ又は正，逆回転自在とし、その全周面に且つその長さ方向に所定間隔で配設したパドルのうち、少なくともその長さ方向の最外端に位置するパドルの掻き上げ部材は台車の正回転走行又は逆回転走行のいずれの場合においても、その台車の走行において堆積物を内側に掻き上げるように傾斜し、又は傾動自在としたことを特徴とする。
更に本発明は、円形の被処理物の床面の上方を雨水から防止する屋根を持つ極めて安価な小型の屋舎で足り、ショベルカーによりその床面の位置で被処理物の投入と堆肥の取り出しを行えるようにしたオープン式発酵処理施設を提供するもので、処理舎の中央に該垂直軸を設けると共に、該被処理物を堆積せしめる円形の床面の外側の全周開放側面の所望の位置でショベルカーなどの搬送車による被処理物の投入と堆肥の取り出しを行えるようにし、処理舎の四周側面の少なくとも１側面に搬送車の出入口を設けたことを特徴とする。
更に本発明は、屋舎の四周側面のうち三側面が側壁で囲まれていても、ショベルカーにより、その円形の床面の所望の位置から前記の投入、取出しを行うことができるオープン式発酵処理施設を提供するもので、該円形床面と屋舎の四周側面との間にショベルカー走行用環状通路を設けたことを特徴とする。
【０００５】
【発明の実施の形態】
次に、本発明の実施の形態を、添付図面に基づいて説明する。
本発明は、特に、牛、豚などの家畜頭数が比較的少ない小規模な酪農などの家畜農家に適し、上記の従来に比し、発酵処理施設に要する敷地面積が著しく小さくてすみ、且つその発酵処理装置は簡単に設備でき、糞尿などの有機質廃物の発酵処理堆肥化するに当たり、全周開放側面の所望の個所を利用してその廃物の投入堆積し、その堆積物を経時的に発酵撹拌処理して得た堆肥を取り出し得る便利な有機質廃物の発酵処理作業を行い堆肥の連続生産を可能にした全周オープン式発酵処理施設を提供するもので、その基本構成は、図示するように、処理舎２内の床面Ａに直立設置したスタンド１に、撹拌機９を具備した台車３を、その幅方向の１側を介し３６０°回転自在に連結し、該スタンド１を中心にして台車３をサークル走行自在とした台車サークル走行撹拌装置１１を構成し、該スタンド１を中心とし、台車３のサークル走行により描かれる円軌道８内を有機質廃物の堆肥処理を行う円形処理床面ａとし、その外側を全周開放側面１３として成る。かゝる構成により、有機質廃物の発酵処理するための占有床面積が従来に比し著しく小さくてすみ、而も発酵処理装置として従来必要であった発酵槽を必要とせず、安価に且つ容易に設備することができ、従って、同装置を覆う処理舎も従来の長尺のものに比し著しく短くてすみ、著しく小さな敷地で足りる。従って、一般に、家畜頭数の少ない家畜農家、牛に例を取れば、１００頭以下の小規模な家畜農家に適し、比較的小規模な敷地に、発酵処理施設を設備する投資を軽減でき、而も毎日、排出される糞尿を他の場所に貯留しておく必要がなく、直ちに該円形処理床面への投入を繰り返し、その堆積物の発酵過程を経て得られる堆肥の取り出し作業を極めて容易になし得られ、堆肥の連続生産を安価にもたらすなどの効果をもたらす。
更に、本発明の上記の基本構成を更に具体化した好ましい全周オープン式発酵処理施設の１例を図１〜図１６に基づいて以下説明する。スタンド１は、軸受筒１ａと該軸受筒１ａ内に軸受１ｂを介しその中心軸線上に回転自在に設けられた垂直軸１ｃとから成る。該軸受１ｂは、上部と下部に配し、上部の軸受１ｂ１は単列深溝玉軸受とし、下部の軸受１ｂ２は単列円錐ころ軸受とした。而して、該スタンド１を、処理舎２内の床面Ａ、好ましくは、一般に土間コンクリートを施された床面Ａの所定個所、一般には、中央に直立設置し、該スタンド１内に回転自在に設けた垂直軸１ｃの上端部１ｃ１に、台車３の基台囲枠４の該台車３の走行方向に対し直交する幅方向において対向する両側のフレーム５，６のいずれか一方のフレーム５を直接又は間接に連結し、その他方のフレーム６側に設けた車輪７、通常は、台車３の前後に配設した車輪７，７を該垂直軸１ｃを中心とした円軌道８に沿い床面Ａを転動走行するように設け、該台車３を、該垂直軸１ｃを中心にして３６０°回転走行するように、即ち、サークル走行するようにすると共に該台車３の基台囲枠４の下方に、台車３の走行方向に対し直交して設けた横型ロータリー式撹拌機９の回転軸１０を該垂直軸１ｃを中心とする円の半径Ｒ方向に配置せしめるようにして台車サークル走行撹拌装置１１を構成し、該垂直軸１ｃを中心として台車３がサークル走行する円形の処理床面ａの面域から該台車３の基台囲枠４の下面までの高さＨまでを、有機質廃物Ｍの堆積用空間１２とすると共に、その外側全周を全周開放側面１３とし、該全周開放側面１３の外側の処理舎２の四周側面２ａの少なくとも１個所に搬送車（図示しない）の出入口１４を有する処理舎２を設立して成る。
図示の例では、台車３の基台囲枠の幅方向の寸法、即ち、フレーム５，６間の寸法は約８．３メートル、走行方向の寸法、即ち、フレーム４ａ，４ａ間の寸法は約３．７メートルとした。従って、台車３は、内側フレーム５から外側フレーム６までの幅は、前記の半径Ｒに略等しい約８メートルのものである。また、スタンド１の床面Ａから台車３のフレーム５の下面までの高さＨは約１．８メートル、スタンド１を中心とした円軌道８までの半径Ｒは約８メートルとし、直径約１６メートルの円形処理床面ａとしたものである。従って、処理舎２は、該円形処理床面ａを囲う一辺が約１８メートルの四周側面２ａをもつ小規模な処理舎で足りる。
しかし乍ら、これらの寸法に勿論限定されるものではなく、台車３としてはその幅約５〜１０メートルの範囲のものを有するのが一般であり、スタンド１を中心として、半径Ｒ５〜１０メートルの円軌道を描く円形処理床面ａとし、スタンド１の高さＨは１．２〜２メートル程度とすることが好ましく、一般であり、処理舎２は、これを囲むに適した方形寸法のもので足りる。
かくして、本発明のオープン式発酵処理施設は、所要占有面積が従来に比し極めて小さく設立し得られ、経済的であり、また、前記の発酵処理装置１１の設備として、従来のような長手のコンクリート壁の構築作業とその上面にレールを敷く施設作業と、その設備コストが不要となり、それだけ設備作業が簡単となる。また、従来の台車としての常識である車輪を基台囲枠の左右両側に必要とせず、片側だけで足りる等、構成部材が少なくて足り、設備が簡単且つ経済的に得られる。
【０００６】
処理舎２は、図示のように、その四周側面２ａ全面は側壁がなく、屋根２ｂを支える多数本の支柱２ｃ，２ｃ，…を、３．６メートルの一定間隔を存して成るもので、その夫々の支柱２ｃ，２ｃ間のスペースＳは有機質廃物や生産された堆肥を搬送するショベル車などの搬送車の出入口１４として利用できるように構成されている。
該処理舎２内の床面Ａの中心に直立設置したスタンド１は、図示の例では、高さ約２．３メートルの軸受筒１ａとその内部の上端部と下端部とに夫々単列深溝玉軸受１ｂ１と円錐ころ軸受１ｂ２とを介して、その中心軸線上に回転自在に設けた該軸受筒１ａと略同じ長さの垂直軸１ｃとから構成し、このスタンド１の下端部を床面Ａ内に埋設し、その床面Ａから直立した該軸受筒１ａの上端までの高さＨは、１．８メートル有するようにした。該スタンド１は、床面Ａ下に埋入固設されるその軸受筒１ａの下端部に、予め、レベリング装置１６を具備した正方形の基板１５をその中心部を該スタンドの下端壁閉塞面１ｄに溶接して一体に具備し、該スタンド１を床面Ａに直立設置するに当たり、その下端部床面Ａに予め設けた凹窪Ｂ内に挿入し、該基板１５に設けたレベリング装置１６により該基板１５の水平出しを行った後、凹窪Ｂ内にコンクリート（図１１，図１２で仮想線で示す）を注入する。該基板１５の四隅に予め設けた貫通孔１５ａ，１５ａ，…は、注入コンクリートの通過を許容し、該基板１５の上、下、外周の空間を充填し、充填コンクリートの硬化により、該下端部を固定してスタンド１を床面Ａに安定堅牢に直立設置したものである。尚、必要に応じ、図示のように、該軸受筒１ａの該下端部の周側面と該基板１５の上面との間に張り渡された垂直補強板１７を該下端部の円周方向に等間隔を存して配設してもよい。図示の例は、４枚の垂直補強板１７を９０°間隔で十字状に配設してものである。
該レベリング装置１６は、該基板１５に、図示のように３個所に配設したボルト挿通孔１６ａ，１６ａ，１６ａとその上面に、各ボルト挿通孔１６ａと整合して溶接したナット１６ｂと各ナット１６ｂに螺挿した各調整用ボルト１６ｃとから成る。基板１５の水平出しを行うに当たり、これら３個所の調整ボルト１６ｃ，１６ｃ，１６ｃの下部を、前記の凹窪Ｂの底面に予め敷いた割栗上に予め設けたコンクリート基板１８の上面に当接せしめた状態で、その各ボルト１６ｃのネジ込みを調整して該基板１５の水平出しを行う。
底面Ａは、土場に適当な厚さのコンクリート施工面に形成したものである。この場合、所定の台車３が該垂直軸１ｃを中心にしてサークル走行する際の車輪７の円軌道８に対応する個所は、適当な広幅と深さ（肉厚）を有するコンクリート製円軌道８に施工することが好ましい。この実施例では、例えば、幅３０ｃｍ、深さ１５ｃｍを有するコンクリート製円軌道８に構成したものである。
かくして、この実施例において、該スタンド１の床面Ａから上端までの高さＨは約１．８メートルとし、そのスタンド１の該垂直軸１ｃの上端部に、上記台車３を該スタンド１を中心にしてサークル走行せしめるようにした台車サークル走行撹拌装置１１が構成され、該垂直軸１ｃを中心として台車３がサークル走行する円形の処理床面ａから該台車３の基台囲枠の下面までの高さＨ、即ち、約１．８メートルまでを有機質廃物の発酵処理用空間１２となり、その空間１２の外側全周を全周開放側面１３となるので、この全周開放側面１３を利用して、その全周のいずれの個所から有機質廃物の投入や発酵処理済みの堆肥の取り出しを行うことができる。
【０００７】
而して、台車３を、一方向のみのサークル走行させ、横型ロータリー式撹拌機９を一方向のみに回転させるようにした場合は、処理床面ａに投入された堆積物を一方向のみ移動させ乍ら発酵を行い、一周したところでその投入場所と同じ場所から発酵処理された堆肥として取り出す発酵処理方を行う。或いは、台車３を、正，逆いずれの一方にもサークル走行させ、該撹拌機９を正，逆いずれの方向にも回転させるようにし、処理床面ａに投入された堆積物の前進と後退移動を繰り返させ乍ら発酵を行うときは、その全周発酵処理用空間１２の全周のいずれの場所を廃棄物投入場所としても、これと同じ場所から堆肥を取り出す発酵処理法を行うことができる。
【０００８】
尚、台車３の車輪７は、前記他方のフレーム６の前部と後部に、これから下方に延びる支持脚１８，１８に配設したが、その前後の脚１８，１８は、夫々の車輪７，７が該スタンド１を中心にした円軌道８に沿い転動走行させるように、図示のように、該フレーム６の長さ方向に対し上面から見てハの字状に傾斜して配設し、車輪７，７の車輪を支持するようにした。前後の車輪７，７は、夫々前後の脚１８，１８間に張り渡されたモータ設置用フレーム１９に前後に設置した車輪駆動用モータ２０，２０により、その夫々のウォームギアモードの減速装置２１，２１と伝導装置２２，２２を介し、所望の回転速度で正，逆回転走行自在に駆動される。
【０００９】
外側に位置する該フレーム６の長さ方向の中心部に減速機付き撹拌機駆動用モータ２３を設置する。該モータ２３は、伝導装置２４を介し該基台囲枠４の下方に位置し、その幅方向に延びる横型ロータリー式撹拌機９の回転軸１０を駆動する。該伝導装置２４は、ケーシング２５内に収容されている。該ケーシング２５を貫通し、その外側に突出した該回転軸１０の外端部１０ａは、ベアリング２６を介し、溝形鋼から成る支持フレーム２７により支持されている。該回転軸１０の内端部は、前記スタンド１に連結された内側のフレーム５の内側板部にボルト・ナットなどの結着具５３により基部を取り付けられた吊板２８にベアリングを介し回転自在に懸架されている。尚、該吊板２８は、その下端部を、該回転軸１０よりも下方へ長く延び延長板部２８ａを延設し、これを堆積物崩し板として作用するようにした。
該撹拌機駆動用モータ２３は、一方向のみに回転するモータでもよいが、好ましくは、可逆モータを一般とする。かくして、撹拌機９の回転軸１０を所望により正転又は逆転し得るようにする。
【００１０】
該内側のフレーム５には、その中間部５ａ、即ち、該フレーム５の長さの中央部の上面にスイベルベースを載置するに足る面域を有する載置板２９を固設し、その上面にスイベルベース３０を設置する。該載置板２９の一部は、フレーム５より側方に突出する板部２９ａとし、その板部２９ａは、その下面と該フレーム５の外側面とに溶接されて張り渡された補強支持板３１によりスイベルベース３０を下面から支持するようにした。かくして、外部からの給電ケーブル３２は、処理舎２の天井側から下垂して、該スイベルベース３０を介し、該基台囲枠４の幅方向に延びる前後のフレーム４ａ，４ａのいずれか一方のフレーム上を横切り、その外側のフレーム６の側面に設置し操作盤３３に接続される。かくして、該台車３が、スタンド１を中心にしたサークル走行を繰り返しても、給電ケーブル３２はよじれることがなく、常時、円滑に台車のサークル走行による発酵堆積物の撹拌作業を円滑良好に行うことができる。
更に詳細には、該給電ケーブル３２は、処理舎２の支柱２ｃに取り付けた動力盤３８からの導出部を図３に示すように、支持具３４に回転自在に支持された碍子製案内ロール３５を介して上方の屋根２ｂの中央に導き、その中央部に位置する吊り金具３６に回転自在に支持された碍子製案内ロール３７を介して下垂し、スイベルベース３０に導入されるようにした。
而して、該操作盤３３から分配された配電線３２ａ，３２ｂ，３２ｃは、図示のように、夫々前後の車輪駆動用モータ２０，２０及び撹拌用モータ２３に接続され、夫々の操作を制御する。前後の走行用モータ２０，２０への配電線３２ｂ，３２ｃは、図示のように、一対の溝形鋼を少許の配電線挿通用のスペースを存して対向させて成る鋼材から成る該フレーム６とその下面から下垂せしめて前後に配設した前一対の溝形鋼から成り、その内部を中空孔とした縦鋼管３９，３９と、前後の脚１８，１８間に差し渡されて結着され且つ該前後の縦鋼管３９，３９の下面に連結された中間にスペースを存して対向する一対の溝形鋼から成る横鋼管４０の夫々の溝形鋼間のスペースを挿通し、前後の車輪駆動用モータ２０，２０に接続するようにした。前記のベアリング支持杆２７は、前後の中空縦鋼管３９，３９間に結着している。
【００１１】
更に、前記のフレーム６の内側には、前記のケーシング２５を挟んで、該フレーム６と平行しその両端を前後のフレーム４ａ１，４ａ１に溶接された溝形鋼から成るフレーム６ａを設け、その上面に半円形のカバー４１の四辺の一辺の辺縁を載置した状態で四周囲枠４の上面を被覆し、その前後の辺縁でその前後のフレーム４ａ，４ａに結着具４２，４２で結着するか、或いは、図示しないが、その前後の辺縁のいずれか一方を螺着具によりその対応するフレーム４ａに螺番を介し、開閉自在に結着する。
該カバー４１は、その四周囲枠に、固定又は開閉自在に取り付けられ、好ましくは、透明な合成樹脂又はガラス製とし、その頂部に排気口４１ａを複数個設ける。
図面で６ｃ，６ｃは、該フレーム６ａの下面と該フレーム６の下面とに跨ると共に、これらに一体に溶接結着された前後の補強板を示し、その補強板６ｃ，６ｃの下面に前記の脚１８，１８の上面を一体に溶接した。
【００１２】
前記の横型ロータリー式撹拌機９の該回転軸１０には、その長さ方向に一定の間隔を存して且つその周囲に多数本の長杆４３ａの先端に台車３の走行方向に対し正面を向いて固定された板状の掬い上げ部材４３ｂ，４３ｂ，…を夫々具備して成る通常の固定式パドル４３，４３，…を配設し、台車３を徐行させ乍ら、その回転軸１０の正転又は逆転させることにより、その走行方向の前方の発酵中の堆積物Ｍを掬い上げ且つ撹拌し、その後方へ、即ち、台車３の走行方向とは逆方向へ移動させるようにすることは、公知の、例えば、特開２００１−４７０１３公報などに開示した構成と変わりがない。
【００１３】
この場合、好ましくは、発明者が開示した特開２００１−７９５２７公報や特開２００１−１９８４４５公報などで開示した発明に倣い、本発明は、該スタンド１を中心としてサークル走行する台車３において、その回転軸１０のその長さ方向に配設された多数本のパドルのうち、少なくとも最外端に位置するパドルをその長杆に取り付けた板状の掬い上げ部材を、好ましくは、図示しないが、その最外端から１〜３番目当たりまでの数本のパドルの板状の掬い上げ部材を、図５に示すように、台車３の走行方向に対し斜めに傾斜し且つ内側に向けられるように長杆４３ａ′の先端に回動自在に設けた板状の掬い上げ部材４３ｂ′をもつ回動式パドル４３′或いは、長杆４３ａ″の先端に一対の対向する傾斜板から成る掬い上げ部材４３ｂ″をもつ傾斜固定式パドル４３″に構成し、これにより、堆積物Ｍの最外端を撹拌時に、車輪のある外側へ飛び散ることを防止することができるようにすることが好ましい。この回動式パドル４３′と傾斜固定式パドル４３″を前記の公開公報に開示したと同じ構成であるが、茲に図１４、図１５及び図１６にその要部を示す。
【００１４】
図１４において、４３′は回動式パドルを示す。該回動式パドル４３′は、長杆４３ａ′の先端に設けた保持筒４４と該保持筒４４に回動自在に保持された長杆４３ａ′の先端杆部４５と該先端杆部４５の先端に取り付けた板状の掬い上げ部材４３ｂ′とから成り、該板状の掬い上げ部材４３ｂ′は、その取付部から内方への内側板部４３ｂ′１の面積を取り付け部から外方への外側板部４３ｂ′２の面積よりも大きくして取り付け、台車３が一方向又は他方向のいずれの方向にサークル走行しても、該板状の掬い上げ部材４３ｂ′は、その面積の大きい内側板部４３ｂ′１は面積の小さい外側板部４３ｂ′２より対向する堆積物の抵抗が大きいので、図１５に仮想線で示すように、夫々内側へ傾斜するように回動せしめられる。図で４６は、該保持筒４４の下端の左右に設けた該長杆４３ａ′の先端杆部４５の所定の回転角度を許容する扇形状の切欠孔、４７は、該先端杆部４５から左右に切欠孔４６，４６に突出するストッパーを示し、これにより回動傾動時の回転軸１０に対する傾斜角度θを規制するようにしたものである。図示の例では、３０°回動傾斜するようにした。
【００１５】
図１６は、傾斜固定式パドル４３″の要部を示す。該パドル４３″の長杆４３ａ″は通常のものと変わりがないが、その先端に２枚の板状の掬い上げ部材４３ｂ″１及び４３ｂ″２を前後に対向させ、且つ前後方向に且つ回転軸１０に対し傾斜させて配置すると共に、その一方の傾斜板４３ｂ″１の外面は斜め前方を向き、その他方の傾斜板４３ｂ″２の外面は斜め後方を向くように配向せしめて取り付けて成るもので、かくして、構成部材が少なく、容易且つ安価なパドル４３″が得られる。図示の例では、前後に配置した板状の掬い上げ部材４３ｂ″１及び４３ｂ″２は、その内側の一端で互いに固着し、Ｖ字状に形成し、その開脚した左側のその他端を支承部材４３ｃ″を介して互いに結着して構成したもので、その支承部材４３ｃ″の長さを調節することにより、前後の掬い上げ部材４３ｂ″１の回転軸１０に対する傾斜角度θ，θを所望に定めることができる。かくして、この傾斜固定式パドル４３″の作動は、同図（ａ），（ｂ）に示すように、台車３のサークル走行方向が矢示のようにいずれの方向であっても、その傾斜板から成る掬い上げ部材４３ｂ″１及び４３ｂ″２のいずれか一方が、その前方の堆積物Ｍを内側に掻き上げることができる。
【００１６】
本発明によれば、台車サークル走行撹拌装置１１において、サークル走行する台車３は、いずれの方向に回転するようにすることが好ましく、一般で好ましいが、そのいずれか一方向のみサークル走行させ、撹拌機を一方向のみに回転させて堆積物Ｍを撹拌し、その後方へ移動させるようにして実施することができるので、これを実施するため、長杆４３ａの先端にその台車の回転走行方向において堆積物Ｍを内側へ掬い上げるように傾斜させて取り付けた掬い上げ部材４３ｂ″１又は４３ｂ″２を具備した傾斜固定式パドルを用いるようにする。かくして、台車の走行方向により図１６に示す一対の傾斜した板状の掬い上げ部材４３ｂ″１又は４３ｂ″２のいずれか１枚で足りる。
【００１７】
また、本発明は、台車の幅方向の１側のフレームの垂直軸への連結を強固にし且つ該垂直軸の揺動を防止し、台車のサークル走行を長期に亘り円滑且つ安定良好に行われるようにした台車サークル走行撹拌装置を具備した全周オープン式発酵処理施設を提供するもので、その実施の１例を図面につき以下詳述する。
該スタンド１は、床面Ａから所定の高さ直立する長手の軸受筒１ａとし、その該軸受筒１ａの外周に、該垂直軸１ｃと同心に回転自在の外筒１ｅを設けると共に該外筒１ｅの上端に、該垂直軸１ｃを中心として径方向に延びるように長矩形板４８をその中間部４８ａで該垂直軸１ｃと該外筒１ｅに結着し、台車３の基台囲枠４の前記の一側のフレーム５を該長矩形板４８の上面に載置し、且つ該フレーム５と該長矩形板４８とを互いに結着して成る台車サークル走行撹拌装置１１を構成する。尚、図面で４８ｃは、該フレーム５の左右に対称的に配設したボルト挿通孔を示す。フレーム５の溝形鋼のコ字状の外側面に補強板５ｂを配設してもよい。
これを更に詳述すれば、図１３に明示のように、該スタンド１の該垂直軸１ｃの上端部１ｃ１に、該スタンド１の該軸受筒１ａの外周に設けるべき外筒１ｅの外径と実質上同幅か、これより大きい幅とし、図示の例では、長さ約８．３メートルの該フレーム５と同じか僅かに短い長さを有する長矩形板４８を、その長さの中間部４８ａの下面に一体に設けた該外筒１ｅの内周面に押圧嵌合するに適した外径を有する肉厚円盤状の連結用部材４９の下面中心に設けた押圧嵌合用円孔４９ａを、該垂直軸１ｃの上端部１ｃ１に押圧嵌着し、所望により、更にその相互の嵌着部を溶接したり、該外筒１ｅの上端と該長矩形板４８との当接部とを溶接する。一方、該外筒１ｅの下端部は、該スタンド１の床面ａに近い下部において、その軸受筒１ａの外周面に上、下に配設したメタル、即ち、軸受５０を介して回動自在に設けた筒状の受け部材５１の上部に該軸受筒１ａとの間に、該軸受筒１ａを肉薄として形成した環状の係合用受溝５１ａに挿入し、且つ該筒状の受け部材５１に溶接などにより結着し、後記するように、該長矩形板４８に片側を連結した台車３がサークル走行するとき、該垂直軸１ｃの回転と共に該外筒１ｅも回転するようにし、これにより該垂直軸１ｃの側方への揺動を防止し、長期に亘り安定良好に且つ円滑に台車３がサークル走行し得るようにした。
該台車３の一側のフレーム５は、その下面に予め溶接された該長矩形板４８と同幅、同長の長矩形の連結板５ａを該スタンド１を中心として水平に且つ左右に同長に延びる該長矩形板４８の上面に載置すると共に、その等しい長さの左右の水平板部４８ｂ，４８ｂにおいて、中間部４８ａから左右に等しい個所で図示のようにボルトナットなどの結着具５２で互いに結着する。かくして、台車３を該フレーム５を該スタンド１を中心として該長矩形板４８を介し左右のバランスの良く且つ強固に該スタンド１に回動自在に結着された連結を得るようにした。
【００１８】
更に、本発明によれば、必要に応じ、該スタンド１の該外筒１ｅの外周面と該長矩形板４８の左右の水平板部４８ｂ，４８ｂとの下面とに差し渡され且つ溶接された左右のリブ５３，５３を設け、左右の水平板部４８ｂ，４８ｂにかゝる台車３の荷重を支承するようにしてもよい。
【００１９】
更に本発明は、上記の実施例に比し構成を簡単にし、安価に得られる台車のサークル走行撹拌装置を具備した全周オープン式発酵処理施設を提供するもので、図１７乃至図２１を参照し説明する。該スタンド１′は、その軸受筒１ａ′は、床面ａから所定の高さＨ直立する長手の保持筒１ｆの上端開口から装着されて該保持筒１ｆの上部に結着された比較的短い有底軸受筒１ａ′とし、比較的短い該垂直軸１ｃ′の下部を該軸受筒１ａ′内に挿入すると共に、その挿入部を上部軸受１ｂ１と下部軸受１ｂ２を介し回転自在とすると共にその上部が該軸受筒１ａ′より上方に突出するように設けて成るスタンド１′に構成し、該スタンド１′の該垂直軸１ｃ′の該突出部の上端部１ｃ１′に、台車３の基台囲枠４の一側の多数の溝形鋼から図示のように構成したフレーム５′を、その中間部５ａ′を、下記詳述するようにに筒状キャップ５４と該筒状キャップ５４の下部に一体に結着した連結用基板５５と該フレーム５′の中間部５ａ′の下面に溶接された連結用基板５６とを介して該垂直軸１ｃに連結し、該フレーム５′は、該スタンド１′を中心として左右に等しい長さを有する水平部５ｂ′，５ｂ′延びるバランスのよい台車３がスタンド１′の該垂直軸１ｃ′と共に安定良好に３６０°回転走行自在の台車サークル走行撹拌装置１１′を構成した。
これを更に詳述すると、スタンド１′の最外筒は、その下部を床面ａの下に先の実施例のように埋設固定されて直立設置され、床面ａから所定の高さＨを有する保持筒１ｆから成り、その上端開口部より筒状の底面開口を閉塞板１ａ′１で閉塞した比較的短い軸受筒１ａ′を嵌装すると共に、その上端の係止用鍔部１ａ′２を該保持筒１ｆの上端に載置し、該保持筒１ｆの上端部の外周面から、螺鋲などの止め具５７で固定する。該軸受筒１ａ′内にその中心軸線上に比較的短い垂直軸１ｃ′の下部を挿入し、上下に配した軸受１ｂ１及び１ｂ２を介して回転自在に設け、その上部を該軸受筒１ａ′より上方に突出せしめ、その突出部の上端部１ｃ１′に、平坦な頂壁の中央に排気孔５４ａを設けた筒状キャップ５４を固く嵌着する。この嵌着状態において、筒状キャップ５４の下端と該軸受筒１ａ′の頂面との間は適当にスペース５８を存せしめるようにする。
尚、該筒状キャップ５４の下端部外周面に、予め、図示のような中央に円形の嵌合孔５５ａを有する前記の短矩形状の連結用基板５５をその嵌合孔５５ａで嵌合すると共に、その嵌合部を互いに溶接して両者を一体に結着する。而して、台車３の該一側のフレーム５′を該連結用基板５５に載置連結するべく、予め、該フレーム５′の中間部５ａ′の下面に、前記の筒状キャップ５４を嵌合挿通する円孔５９を設けると共に、その中間部５ａ′の下面に、前記の連結用基板５５と同形、同大で且つ中央に該筒状キャップ５４を嵌合挿通する円孔５６ａを有する連結用基板５６を溶接しておき、該フレーム５′をその中間部５ａ′において、その下面に溶接した連結用基板５６と共にこれら円孔５６ａ，５９ａを介して該筒状キャップ５４に嵌合挿通し、該筒状キャップ５４の下端外周の該連結用基板５８の上面に載置すると共に、該連結用基板５６と該連結用矩形板５８とを、その左右に等しく延びる外端部において、ボルト、ナットなどの結着具５２により、図示のようにその複数個所で結着し、かくしてこれらの連結装置を介して、台車３は、該垂直軸１ｃ′と共に３６０°回転し、サークル走行を行うことができるようにしたもので、その構成部材は少なく、組み付け簡単で且つ安価な台車サークル走行撹拌装置１１′が得られる。
【００２０】
上記から明らかなように、台車３のサークル走行と共に該垂直軸１ｃ′が回転すれば良いので、フレーム５′の中間部５ａ′の下面の円孔５９に嵌合した筒状キャップ５４の外周面と該円孔５９の周縁とを互いに溶接したものを作製し、そのフレーム５′の筒状キャップ５４を該垂直軸１ｃ′の上端部１ｃ１′に固く嵌着した更に簡単に該装置１１′を組み立てても良い。更に、該垂直軸１ｃ′と嵌着した筒状キャップ５４との相互接触部界面を下端から溶接し一体に結着してもよい。
【００２１】
このように、本発明によれば、スタンドに撹拌機を具備した台車の幅方向における１側を３６０°回転自在に取り付け、該スタンドを中心にして台車をサークル走行自在に設けるだけで、有機質廃物の発酵処理装置が得られるので、従来必要であった長尺のコンクリート発酵槽の構築、長尺の処理舎の連設を省略でき、容易且つ経済的な発酵処理施設が得られる。
更に、本発明は、スタンドを中心とするサークル走行する台車の幅を半径Ｒとする円形の処理床面ａを処理面とするので、その外側の全周開放側面を利用して、そのどこからでも有機質廃物の投入や撹拌発酵処理されて堆肥化した生産物を取り出すことができる。
この場合、図１、図２２、図２３などに示すように、正方形などの方形の処理舎の四周側面の各側面にショベル車などの支柱２ｃ，２ｃ間を存し搬送車の出入口１４を多数設けた処理舎２やその一辺の側面に出入口１４を設けた以外は、四周側面を閉塞壁面２ｄとした処理舎２′を前記の円形処理床面ａの外周に建設すればよい。これら処理舎２又は２′のいずれの場合でも、所望により、該円形処理床面ａとの間に搬送車の環状の走行通路６０を設けるようにしてもよい。
また、図示しないが、図２３に示す環状の搬送車走行通路６０を設けなくても、後述するように、取出口１４が１個所あればよい。この場合は、本発明の台車回転走行装置の台車を正回転走行又は逆回転走行の一方向のみの３６０°回転を行うい、該円形処理床面ａの円周の取出口１４に最も近い個所に、ショベル車により有機質廃物Ｍを投入し、有機質廃物を一方向に撹拌移動させ、一周したとき、堆肥としてその投入場所と同じ場所からショベル車により取り出すことができる。
【００２２】
次に、上記の本発明の台車サークル走行装置１１による有機質廃物の堆肥化処理作業を例示する。
図２２は、小規模な家畜農家における糞尿の堆肥化処理作業の１例を説明する図である。
３０頭位の乳牛の排出した１日分の糞尿を常法により鋸屑、モミガラなどの水分調整剤を添加し、発酵に適した水分含有量とした被処理物を、ショベル車により、その円形処理床面ａの所望の個所に投入堆積Ｍ１する。２日目に、同様にして調整した被処理物を、先の堆積物Ｍ１の隣に投入堆積Ｍ２する。同様にして、３日目、４日目…と３０日目までの各被処理物Ｍ３，Ｍ４，…Ｍ３０を投入堆積するが、その間、適当な時期に、その時点で堆積されている発酵中の堆積物Ｍ１，Ｍ２，…を、台車３を矢示のように反時計方向に往動走行させると共に、その撹拌機を一方向に回転させ、これら堆積物を、矢示のように台車３の後方の、該堆積物Ｍ１の隣接する空地に前記の堆積物Ｍ１，Ｍ２，…を撹拌移動せしめた後、台車３を矢示のように時計方向に復動走行させると共に、その撹拌機により前とは逆方向に回転させ、その多数のパドルにより、矢示のように、台車３の後方へ、即ち、堆積したもとの場所へ夫々の堆積物Ｍ１，Ｍ２，…を撹拌移動させる。このように台車の往復動走行を適時繰り返す。かくして、３１日目に、堆積物Ｍ１が３０日を経過して発酵処理が済み堆肥となった生産物をもとの投入堆積したと同じ場所から取り出す。而して、その取り出して空所となった跡地に、新たな被処理物を投入し、同様にして、次の日に堆積物Ｍ２が３０日を経過して得られた堆肥をもとの投入堆積したと同じ場所から取り出し、その跡地に、３２日目の新たな被処理物を投入する。このようにして、毎日連続して所要量の糞尿の投入堆積と堆肥の取り出しを連続的に行う一方、適当な時期に台車３の往復回動走行を繰り返し、前記のように発酵中の堆積物の撹拌往復動を行うようにし、その全周開放側面と四周側面に取出口１４を設けた処理舎２を利用して、高能率に全周オープン式発酵処理法を実施することができる。
【００２３】
図２３は、前記の堆肥化処理作業に代わる別の堆肥化処理作業例を説明する図である。
台車３は、時計方向又は反時計方向のいずれか一方のみに、図示の例では矢示のように反時計方向のみにサークル走行を繰り返すようにする。一方、糞尿を前記と同様に水分調整した被処理物Ｍ１を、ショベル車により円形処理床面ａの所望の個所に投入堆積Ｍ１した後、台車３を反時計方向に走行されると共に撹拌機により発酵中の該被処理物Ｍ１を、矢示のように時計方向に撹拌移動させると共に、初めの被処理物を投入堆積した場所を空ける。次の日に、堆積物Ｍ１が移動した跡の空地、即ち、被処理物を投入したと同じ場所に新しい被処理物を投入堆積Ｍ２する。その後、前記と同様に台車３を反時計方向に走行させると共に撹拌機により発酵中の堆積物Ｍ１，Ｍ２を矢示のように時計方向へ撹拌移動させる。次の日に、前記と同じ跡地に被処理物Ｍ３を投入堆積し、以下、前記と同様に台車の走行と撹拌機により被処理物Ｍ１からＭ３までの投入堆積、撹拌移動を行い、かくして、３１日目には、初めに投入堆積した堆積物Ｍ１は一周し、投入した場所に堆肥となって得られるので、ショベル車により取り出すことができる。而して、その取り出した跡地に新しい被処理物を投入堆積し、前記と同様にして、その台車の走行と共に撹拌機による撹拌移動を行う。かくして、同じ跡地に２日目に投入堆積した堆積物Ｍ２が一周し、堆肥となって得られる。このようにして堆肥の連続生産を行うことができる。
上記の全周オープン式発酵処理作業によれば、その円形処理床面ａの１個所で被処理物の投入と堆肥の取り出しを行うことができるので、図示のように、搬送車の出入口１４は、四周側面の１個所に設けた処理舎２′で足り、その他の三辺側面は閉塞壁面２ｄとすることができる。尚、図示のように、円形処理床面ａの出入口１４に最も近い個所を投入、取出し場所とすることが作業が容易且つ高能率に行うことができる。
【００２４】
尚、同図に示すように、所望により、出入口以外の四周側面を閉塞した処理舎２と円形処理床面ａとの間にショベル車が通る環状の通路６０を設けるようにし、図２２に示す施設で行った全周オープン式発酵処理作業と同様の作業を行うようにしてもよい。
【００２５】
【発明の効果】
請求項１及び２に係る発明によれば、発酵処理施設に要する敷地面積は、従来の長尺の発酵処理施設に比し著しく小さくてすみ、その発酵処理装置は、従来のコンクリート壁の構築を省略でき、容易且つ経済的に設置し得られ、而も、スタンドの高さを適当に選択し、スタンドを中心とした台車の幅を半径とする円形処理床面としたので、その外側の全周開放側面を利用し、その所望の個所から円形処理床面内への被処理物の投入堆積と発酵により堆肥化された生産物の取り出しを行うことができ、発酵処理作業に便利である。
請求項３及び４に係る発明によれば、台車は、堅牢にスタンドに支持されると共に台車のサークル走行中における垂直軸の揺動のない安定良好なサークル走行が得られる。
請求項５に係る発明によれば、台車のサークル走行中における垂直軸の揺動を防止すると共に構成が簡単な台車サークル走行装置が得られる。
請求項６に係る発明によれば、台車のサークル走行を繰り返しても、給電ケーブルのよじれなどの不都合を防止し、円滑良好に台車のサークル走行を行うことができる。
請求項７に係る発明によれば、堆積物を掻き上げ撹拌時に、堆積物が円形処理床面より外側に飛散することを防止することができる。
請求項８に係る発明によれば、円形処理床面内に、その全周のいずれの個所からでも、所望により、被処理物の投入と生産堆肥の取り出しを行うことができ、これらの作業を行うに当たり、処理舎の四周側面に出入口を設けておく場合は、ショベル車などにより、これら出入口を所望に利用し、円形処理床面の全周のいずれの個所にも到達することができる。また、四周側面の少なくとも１側面の１個所に出入口を設けた処理舎とした場合でも、その出入口を介し、該円形処理床面に被処理物の投入と生産堆肥の取り出し作業を連側的に行うことができる。
請求項９に係る発明によれば、処理舎の四周側面を閉塞壁面とし、出入口が１個所であっても、ショベル車などの搬送車は、その環状走行通路を介し、円形処理床面の全周のいずれの個所にも接近できる。
【図面の簡単な説明】
【図１】本発明の実施の１例の全周オープン式発酵処理施設の処理舎の四周側面を横断して下方を見た平面図。
【図２】図１のＩＩ−ＩＩ線裁断一部を裁除した側面図。
【図３】図１のＩＩＩ−ＩＩＩ線裁断一部を裁除した正面図。
【図４】図１に示す施設の主要部である台車サークル走行撹拌装置の拡大平面図。
【図５】同装置の一部を裁除した正面図。
【図６】同装置の１側の側面図。
【図７】同装置の他側の側面図。
【図８】同装置の一部を裁除した要部の平面図。
【図９】図８のＩＸ−ＩＸ線裁断面図。
【図１０】図８のＸ−Ｘ線裁断面図。
【図１１】台車を連結する前の床面に直立設置されたスタンドの正面図。
【図１２】図１１示のスタンドの上面図。
【図１３】図１２のＸＩＩＩ−ＸＩＩＩ線裁断拡大面図。
【図１４】撹拌機の最外端のパドルの掻き上げ部材の一部裁断正面図。
【図１５】図１４示の回動式パドルの作動状態を示す横断面図。
【図１６】撹拌機の最外端の固定式パドルの横断面図を示し、図１６（ａ）及び図１６（ｂ）はその作動状態を示す横断面図。
【図１７】本発明の他の実施例の台車回転走行撹拌装置の正面図。
【図１８】その装置の一部の上面図。
【図１９】図１８のＸＩＸ−ＸＩＸ線裁断面図。
【図２０】図１９のＸＸ−ＸＸ線の矢示方向を見た図。
【図２１】図１９のＸＸＩ−ＸＸＩ線の矢示方向を見た図。
【図２２】本発明の台車回転走行装置を具備した発酵処理施設を用いた被処理物の堆肥化作業の１例を説明する平面図。
【図２３】同施設を用いた被処理物の堆肥化作業の他側を説明する平面図。
【符号の説明】
１，１′　スタンド
１ａ，１ａ′　軸受筒
１ｂ　軸受
１ｃ，１ｃ′　垂直軸
１ｃ１，１ｃ１′　垂直軸の上端部
２　処理舎
Ａ　床面
ａ円形処理床面
３　台車
４　基台囲枠
５，５′　１側のフレーム
５ａ，５ａ′　中間部
６　他側のフレーム
７　車輪
８　円軌道
９　撹拌機
１０　回転軸
１１，１１′　台車サークル走行撹拌装置
１２　有機質廃物の堆積用空間
１３　全周開放側面
１４　処理舎の出入口
Ｍ　堆積物
４３　パドル
４４ａ，４４ｂ　板状の掬い上げ部材
４４′　回動式パドル
４４″　傾斜板固定式パドル
【図１】
2004026565.tif 000003
【図２】
2004026565.tif 000004
【図３】
2004026565.tif 000005
【図４】
2004026565.tif 000006
【図５】
2004026565.tif 000007
【図６】
2004026565.tif 000008
【図７】
2004026565.tif 000009
【図８】
2004026565.tif 000010
【図９】
2004026565.tif 000011
【図１０】
2004026565.tif 000012
【図１１】
2004026565.tif 000013
【図１２】
2004026565.tif 000014
【図１３】
2004026565.tif 000015
【図１４】
2004026565.tif 000016
【図１５】
2004026565.tif 000017
【図１６】
2004026565.tif 000018
【図１７】
2004026565.tif 000019
【図１８】
2004026565.tif 000020
【図１９】
2004026565.tif 000021
【図２０】
2004026565.tif 000022
【図２１】
2004026565.tif 000023
【図２２】
2004026565.tif 000024
【図２３】
2004026565.tif 000025